(57)【特許請求の範囲】
【請求項１】
箱体１の側壁２，３から下部の内フラップ５及び外フラップ６を延出し、各対の内フラップ５及び外フラップ６を順次内側へ折り曲げて箱体１の底壁を形成し、その内フラップ５に、横方向に並んだ山形の折目線ａを稜線とする折曲部Ｆを設け、内フラップ５を折曲部Ｆで上方外側へ折り返して、その先端側の脚板９間に物品を載置する受板２２を渡し、折曲部Ｆの反発力が受板２２に作用するようにした緩衝機能付き包装箱。
【請求項２】
箱体１の底壁上に緩受体３１を設置し、緩受体３１として、受板３２の両端に脚板３３を連設し、受板３２と脚板３３の境界に、横方向に並んだ山形の折目線ａを稜線とする折曲部Ｆを設けたものを使用し、物品を載置する受板３２から脚板３３を折曲部Ｆで下方内側へ折り曲げ、折曲部Ｆの反発力が受板３２に作用するようにした緩衝機能付き包装箱。
【請求項３】
請求項１又は２に記載の包装箱において、物品上に請求項２に記載した緩受体３１を載せ、物品に当接する受板３２から脚板３３を折曲部Ｆで上方内側へ折り曲げ、箱体１の封緘に伴い、折曲部Ｆの反発力が受板３２に作用するようにした緩衝機能付き包装箱。
【発明の詳細な説明】
【技術分野】
【０００１】
この発明は、様々な物品の配送に使用する緩衝機能付き包装箱に関するものである。
【背景技術】
【０００２】
従来、下記特許文献１には、蓋の両側縁から折曲片を延出し、各折曲片を、その基端及び中間に入れた直線状の折目線に沿って内外へ屏風状に折り曲げ、折曲片の反発により、物品を弾力的に保持して、衝撃から保護するものが記載されている。
【０００３】
【特許文献１】登録実用新案第３０２４２９５号公報
【発明の開示】
【発明が解決しようとする課題】
【０００４】
しかしながら、上記のような包装箱では、例えば、通信販売の商品配送等において、大小様々な物品の梱包に使用すると、折目線に沿った折曲部で十分な反発力が得られず、緩衝性が不足する場合がある。
【０００５】
そこで、この発明は、様々な大きさの物品を確実に緩衝して保護できる包装箱を提供することを課題とする。
【課題を解決するための手段】
【０００６】
上記課題を解決するため、この発明に係る包装箱は、箱体の側壁から下部の内フラップ及び外フラップを延出し、各対の内フラップ及び外フラップを順次内側へ折り曲げて箱体の底壁を形成し、底壁の内フラップに、横方向に並んだ山形の折目線を稜線とする折曲部を設け、内フラップを折曲部で上方外側へ折り返して、その先端側の脚板間に物品を載置する受板を渡し、折曲部の反発力が受板に作用するようにしたのである。
【０００７】
また、この構成に代えて、箱体の底壁上に緩受体を設置し、緩受体として、受板の両端に脚板を連設し、受板と脚板の境界に、横方向に並んだ山形の折目線を稜線とする折曲部を設けたものを使用し、物品を載置する受板から脚板を折曲部で下方内側へ折り曲げ、折曲部の反発力が受板に作用するようにしたのである。
【０００８】
さらに、上記各包装箱において、物品に上記と同様の緩受体を載せ、物品に当接する受板から脚板を折曲部で上方内側へ折り曲げ、箱体の封緘に伴い、折曲部の反発力が受板に作用するようにしたのである。
【発明の効果】
【０００９】
この包装箱では、受板に折曲部の反発力が作用し、その反発力が横方向に並んだ山形の折目線により強力となるので、様々な大きさの物品を受板により弾力的に保持して、衝撃から確実に保護することができる。また、物品の大きさに応じた多種の緩衝材を用意しておく必要もなく、包装コストを抑制することができ、梱包作業の効率も向上する。
【発明を実施するための最良の形態】
【００１０】
まず、この発明の第１実施形態を図１乃至図５に基づいて説明する。
【００１１】
この包装箱は、図１のブランク及び図２の組立分解斜視図に示すように、段ボールシートを材料とする箱体１、底受体２１及び緩受体３１から構成され、通信販売される商品等の物品Ｇの梱包に使用するものである。
【００１２】
箱体１のブランクでは、各一対の側壁２，３が交互に連設され、一方の側壁３の外側に継代片４が連設されている。側壁２の下端には内フラップ５が、側壁３の下端には外フラップ６が連設され、側壁２の上端には内フラップ７が、側壁３の上端には外フラップ８がそれぞれ連設されている。
【００１３】
ブランク下部の各内フラップ５の中間部には、横方向に並んだ押罫による山形の折目線ａが菱形をなすように対称に配置され、その頂部間に谷折用の縦方向の切目線ｂが入れられて、折目線ａを稜線とする折曲部Ｆが設けられ、折曲部Ｆより先端側が脚板９とされている。各内フラップ５の先端中央部には、切込により係合凹部１０が設けられている。
【００１４】
底受体２１のブランクでは、受板２２の両側に折目線を介して折曲片２３が連設され、受板２２の両端中央部には、係合片２４が突設されている。
【００１５】
緩受体３１のブランクでは、受板３２の両端に脚板３３が連設され、受板３２と各脚板３３の境界には、箱体１の内フラップ５と同様、横方向に並んだ押罫による山形の折目線ａが菱形をなすように対称に配置され、その頂部間に谷折用の縦方向の切目線ｂが入れられて、折目線ａを稜線とする折曲部Ｆが設けられている。
【００１６】
上記のようなブランクを組み立てて、通信販売で発送する商品等の物品を梱包する際には、図２に示すように、箱体１のブランクにおいて、各一対の側壁２，３を角筒状に折り曲げて、継代片４を反対側の側壁２に貼り付け、下部の内フラップ５及び外フラップ６を内側へ順次折り曲げて、底壁を形成する。
【００１７】
次に、両側の内フラップ５をそれぞれ折曲部Ｆで上方外側へ折り返し、底受体２１の受板２２から折曲片２３を上方へ折り曲げて、受板２２を補強し、図３に示すように、対向する脚板９の間に受板２２を掛け渡して、係合片２４を係合凹部１０に係合させ、受板２２に物品Ｇを載せる。
【００１８】
その後、緩受体３１の受板３２から両側の脚板３３を折曲部Ｆで上方へ折り曲げて、物品Ｇに受板３２を載せ、図４及び図５に示すように、脚板３３を内側へ折り曲げつつ、上部の内フラップ７及び外フラップ８を内側へ順次折り曲げて、箱体１を封緘する。
【００１９】
このような包装箱では、底受体２１の受板２２と、緩受体３１の受板３２とにそれぞれ折曲部Ｆの反発力が作用し、この反発力は、横方向に並んだ山形の折目線ａにより強力となるので、様々な大きさの物品Ｇを受板２２，３２により上下から挟み込むように弾力的に保持して、衝撃から確実に保護することができる。
【００２０】
また、物品Ｇの大きさに応じた多種の緩衝材を用意しておく必要もなく、包装コストを抑制することができ、緩衝材の選択の手間が省かれるので、梱包作業の効率も向上する。
【００２１】
次に、この発明の第２実施形態を図６乃至図８に基づいて説明する。
【００２２】
この包装箱は、箱体１として、下部の内フラップ５に折曲部や脚板のない通常の溝切り型段ボール箱を使用し、箱体１の底壁上に、上記第１実施形態と同様の緩受体３１を設置している。そして、この緩受体３１の受板３２から脚板３３を折曲部Ｆで下方内側へ折り曲げ、受板３２に物品Ｇを載置するようにしている。
【００２３】
このような包装箱では、上下の緩受体３１の受板３２に折曲部Ｆの反発力が作用し、その反発力が上記第１実施形態のものと同様、横方向に並んだ山形の折目線ａにより強力となるので、様々な大きさの物品Ｇを一対の受板３２により上下から挟み込むように弾力的に保持して、衝撃から確実に保護することができる。
【００２４】
なお、上記各実施形態において、折曲部Ｆは、横方向に並んだ山形の折目線ａを菱形をなすように対称に配置しているが、直線状の押罫から成る折目線の片側に、横方向に並んだ山形の折目線ａを三角形をなすように配置してもよい。
【図面の簡単な説明】
【００２５】
【図１】この発明の第１実施形態に係る包装箱のブランクを示す図
【図２】同上の組み立てに伴う分解斜視図
【図３】同上の物品梱包過程を示す斜視図
【図４】同上の物品梱包状態を示す斜視図
【図５】同上の縦断正面図
【図６】この発明の第２実施形態に係る包装箱の組み立てに伴う分解斜視図
【図７】同上の物品梱包状態を示す斜視図
【図８】同上の縦断正面図
【符号の説明】
【００２６】
１  箱体
２，３  側壁
４  継代片
５，７  内フラップ
６，８  外フラップ
９  脚板
１０  係合凹部
２１  底受体
２２  受板
２３  折曲片
２４  係合片
３１  緩受体
３２  受板
３３  脚板
ａ  折目線
ｂ  切目線
Ｆ  折曲部
【図１】
0004711837.tif 000002
【図２】
0004711837.tif 000003
【図３】
0004711837.tif 000004
【図４】
0004711837.tif 000005
【図５】
0004711837.tif 000006
【図６】
0004711837.tif 000007
【図７】
0004711837.tif 000008
【図８】
0004711837.tif 000009